(57)【特許請求の範囲】
【請求項１】
振動板と、前記振動板の縁を固定する筐体と、前記筐体の音声出力面とは異なる面で、且つ、前記振動板の近傍に配置された遮音部材と、を有するスピーカーと、
前記遮音部材の外周に接し、前記スピーカーの背面を覆うカバーと、を備え、
前記カバーにおける前記遮音部材に接する第１面が、前記筐体における前記遮音部材が配置された第２面と略平行に配置され、且つ、該第２面側に押圧されているスピーカー装置。
【請求項２】
前記遮音部材は、前記筐体の外周面全周に渡って設けられていることを特徴とする請求項１記載のスピーカー装置。
【請求項３】
前記遮音部材は、前記筐体に巻き付けられた線状の部材であることを特徴とする請求項１又は２記載のスピーカー装置。
【請求項４】
前記筐体は横長形状であることを特徴とする請求項１〜３の何れかに記載のスピーカー装置。
【請求項５】
前記遮音部材は、前記筐体の短手方向を開始点として該筐体に巻き付けられた部材であることを特徴とする請求項３又は４記載のスピーカー装置。
【請求項６】
前記遮音部材は、発泡部材又は弾性部材を含むことを特徴とする請求項１〜５の何れかに記載のスピーカー装置。
【請求項７】
前記遮音部材の前面と前記筐体の前面とが面一であることを特徴とする請求項１〜６の何れかに記載のスピーカー装置。
【請求項８】
前記遮音部材の前面が前記振動板の前面よりも前方へ突出していることを特徴とする請求項１〜６の何れかに記載のスピーカー装置。
【請求項９】
前記カバーが第１挟持部を有するフロントカバーと第２挟持部を有するリヤカバーとで構成され、前記第１挟持部と前記第２挟持部は前記遮音部材の外周に接して、前記スピーカーを挟持することを特徴とする請求項１〜８の何れかに記載のスピーカー装置。
【請求項１０】
前記スピーカーは孔を有する取り付け部を備え、前記カバーに支持部を備え、前記支持部が前記孔に挿入されていることを特徴とする請求項１〜９の何れかに記載のスピーカー装置。
【請求項１１】
請求項１〜１０の何れかに記載のスピーカー装置と、
表示部と、を備えた表示装置。
【発明の詳細な説明】
【技術分野】
【０００１】
本発明は、スピーカー装置及びその関連装置に関する。
【背景技術】
【０００２】
近年、ＬＣＤ（Liquid Crystal Display）やＰＤＰ（Plasma Display Panel）を用いた薄型のテレビジョン受像機が普及している。一般的な薄型テレビジョン受像機は、長方形状の正面部と、正面部の四辺それぞれよりリヤ側に立設された側壁部とを備えたフロントキャビネットと、フロントキャビネットの背面側を覆うリヤキャビネットと、フロントキャビネットに取り付けられ、音を出力するスピーカーとを有している。
【０００３】
このような薄型テレビジョン受像機においては、正面からの見た目をシンプルなものとするため、スピーカーからの音を通過させるための孔がフロントキャビネットの正面から見えない位置（側壁部等）に形成されている場合が多い。スピーカーは振動板が露出する音出し開口がフロントキャビネットの側壁部に形成された孔と対向するように配置される。このとき、スピーカーのフランジ部と側壁部との間にガスケットを挟んで固定される。
【０００４】
また、特許文献１には、ガスケットを用いる代わりにスピーカーをホルダーに収容したスピーカー装置が開示されている。
【先行技術文献】
【特許文献】
【０００５】
【特許文献１】特開２００７−１２４２９４号公報
【発明の概要】
【発明が解決しようとする課題】
【０００６】
上記のようにスピーカーの振動板前面の周囲をガスケット等の遮音部材で覆う理由の一つに、スピーカーの前面から出る正位相の音声とスピーカーの背面から出る逆位相の音声とが打ち消し合うことを防止するという目的がある。ガスケットとキャビネットにより逆位相の音声がスピーカーの前面に回り込まないように遮蔽している。
【０００７】
しかしながら、厚紙や発泡樹脂からなるガスケットを用いた場合、組み立て時にガスケットをフロントキャビネットに当ててスライドさせると、厚紙が層間剥離したり、発泡樹脂が倒れ込んだりして異音発生の原因となる。また、通常ガスケットは打ち抜き加工により製造されるため、その製造に手間が掛かるとともに、打ち抜き後の材料は廃棄されるため無駄が多い。一方、ホルダーはゴム等の弾性体で成形する必要があるため、コストが掛かる。
【０００８】
本発明は、製造が容易で無駄のない遮音部材を備えたスピーカーを提供することを目的とする。また、そのスピーカーを備えたスピーカー装置を提供することも目的とする。
【課題を解決するための手段】
【０００９】
上記目的を達成するために本発明は、振動板と、前記振動板の縁を固定する筐体と、前記筐体の音声出力面とは異なる面で、且つ、前記振動板の近傍に配置された遮音部材と、を備えたスピーカーとする。
【００１０】
この構成によれば、従来の打ち抜き加工された遮音部材に代えて、製造が容易で無駄のない遮音部材を用いることができる。
【００１１】
上記のスピーカーにおいて、遮音部材の効果を最大限に得る観点からは、例えば、前記遮音部材は、前記筐体の外周面全周に渡って設けられていることが好ましい。
【００１２】
また上記のスピーカーにおいて、容易に組み立てられるように、例えば、前記遮音部材は直線状の部材であって、前記筐体に前記遮音部材を巻き付けるようにしてもよい。
【００１３】
また上記のスピーカーにおいて、前記筐体は横長形状であってもよい。
【００１４】
また上記のスピーカーにおいて、前記遮音部材は、前記筐体の短手方向を開始点として巻き付けられるようにしてもよい。
【００１５】
また上記のスピーカーにおいて、ガスケットとしての効果を得るため、前記遮音部材は、発泡部材又は弾性部材を含むことが好ましい。
【００１６】
また上記のスピーカーにおいて、組み立て工程等を考慮して形態に自由度をもたせる観点から、前記遮音部材の前面と前記筐体の前面とが面一の形態としたり、前記遮音部材の前面が前記振動板の前面よりも前方へ突出している形態とすることができる。
【００１７】
また本発明は、様々な製品に適用する観点から、上記のスピーカーと、前記遮音部材の外周に接し、前記スピーカーの背面を覆うカバーと、を備えたスピーカー装置であってもよい。
【００１８】
上記のスピーカー装置において、前記カバーが第１挟持部を有するフロントカバーと第２挟持部を有するリヤカバーとで構成され、前記第１挟持部と前記第２挟持部は前記遮音部材の外周に接して、前記スピーカーを挟持するようにしてもよい。
【００１９】
また上記のスピーカー装置において、前記スピーカーは孔を有する取り付け部を備え、前記カバーに支持部を備え、前記支持部を前記孔に挿入するようにしてもよい。
【００２０】
また本発明は、様々な製品に適用する観点から、上記のスピーカー装置と、表示部と、を備えた表示装置であってもよい。
【発明の効果】
【００２１】
本発明によると、筐体の音声出力面とは異なる面で、且つ、振動板の近傍に配置された遮音部材を設けているので、従来の打ち抜き加工された遮音部材に代えて、製造が容易で無駄のない遮音部材を用いることができる。
【図面の簡単な説明】
【００２２】
【図１】本発明の一実施形態のデジタルテレビ受像機の構成及びその周辺機器を示すブロック図である。
【図２】本発明の一実施形態のデジタルテレビ受像機の背面図である。
【図３】図２のＡ−Ａ線断面図である。
【図４】本発明の一実施形態のデジタルテレビ受像機内部の要部構成を示す斜視図である。
【図５】図４の分解斜視図である。
【図６】本発明の一実施形態のデジタルテレビ受像機のスピーカーの斜視図である。
【図７】図６のＢ−Ｂ線断面図である。
【発明を実施するための形態】
【００２３】
以下、本発明の表示装置の一例として、デジタルテレビ受像機を用いて説明する。
【００２４】
図１は、本発明の一実施形態のデジタルテレビ受像機の構成及びその周辺機器を示すブロック図である。デジタルテレビ受像機１０にはアンテナ３０が接続されている。またデジタルテレビ受像機１０は、リモコン３１によって操作可能である。
【００２５】
デジタルテレビ受像機１０は、チューナ１１と、復調部１２と、音声デコード部１３と、映像デコード部１４と、データ放送デコード部１５と、音声出力部１６と、ＯＳＤ（On Screen Display）部１７と、スピーカー１８と、表示部１９と、メモリ（記憶部）２０と、リモコン受信部２１と、制御部２２とを備えている。
【００２６】
チューナ１１は、アンテナ３０で受信した電波から所定周波数のデジタルテレビ放送信号を生成し、デジタル化する。復調部１２は、チューナ１１から受け取ったデジタル信号を復調処理し、ＭＰＥＧのトランスポートストリーム（ＴＳ）を生成し、目的別に音声パケット、映像パケット、データ放送パケット、管理情報パケットなどに分離してそれぞれ出力する。
【００２７】
音声デコード部１３は、復調部１２から受け取った音声パケットを復号化して音声信号を生成し、音声出力部１６へ出力する。音声出力部１６は、音声デコード部１３から受け取った音声信号をアナログ化してスピーカー１８に出力する。映像デコード部１４は、復調部１２から受け取った映像パケットを復号化して映像信号を生成し、ＯＳＤ部１７へ出力する。データ放送デコード部１５は、復調部１２から受け取ったデータ放送パケットを復号化してデータ放送信号を生成し、ＯＳＤ部１７へ出力する。
【００２８】
ＯＳＤ部１７は、映像デコード部１４から受け取った映像信号と、データ放送デコード部１５から受け取ったデータ放送信号とを制御部２２の指示に従って合成し、表示部１９に表示する画像データを生成する。表示部１９は、液晶表示装置や有機ＥＬ表示装置等からなり、ＯＳＤ部１７から受け取った画像データに応じた画面を表示する。
【００２９】
メモリ２０は、ＲＯＭやＲＡＭ等からなる。リモコン受信部２１は、リモコン１３からの信号を受信し、制御部２２へ出力する。制御部２２は、デジタルテレビ受像機１０の各部を制御する。
【００３０】
図２は、デジタルテレビ受像機１０の背面図、図３は、図２のＡ−Ａ線断面図、図４は、デジタルテレビ受像機１０内部の要部構成を示す斜視図、図５は、図４の分解斜視図、図６は、デジタルテレビ受像機１０のスピーカーの斜視図、図７は、図６のＢ−Ｂ線断面図である。
【００３１】
デジタルテレビ受像機１０は、ベゼル４０と、フロントフレーム４１と、リヤフレーム４２と、リヤカバー４３と、２つのスピーカー１８、１８と、表示部１９とを備えている。そして、ベゼル４０と、リヤフレーム４２と、リヤカバー４３とでデジタルテレビ受像機１０の外観の筐体を構成している。
【００３２】
ベゼル４０は、表示部１９が臨む開口部を有した矩形の額縁状の枠体であり、フロントフレーム４１とによって表示部１９を挟み、デジタルテレビ受像機１０の前面を構成する。ベゼル４０は樹脂や金属で成形できる。
【００３３】
フロントフレーム４１は、前面側に表示部１９を、背面側にチューナ１１や制御部２２等が搭載された回路基板をそれぞれ収容する矩形の部材であり、ベゼル４０と、リヤフレーム４２と、リヤカバー４３とで囲まれている。フロントフレーム４１は樹脂や金属で成形できる。
【００３４】
リヤフレーム４２は、回路基板が臨む開口部を有した板状の部材であり、ベゼル４０とによってフロントフレーム４１を挟み、デジタルテレビ受像機１０の背面を構成する。リヤフレーム４２は樹脂や金属で成形できる。
【００３５】
またリヤフレーム（フロントカバー）４２は、スピーカーを挟持する挟持部（第１挟持部）４２ａ、４２ａと、スピーカー１８、１８を挿入して支持する４つの支持部４２ｂとを有している。挟持部４２ａは、リヤフレーム４２の下端付近に背面側に突出してリヤフレーム４２に一体形成されている。挟持部４２ａは後述するスピーカー１８のガスケットの外周に接する（圧接する）形状とし、本実施形態では半楕円形状となっている。なお、挟持部４２ａにガスケットが嵌まるような溝を設けてもよい。
【００３６】
支持部４２ｂは、リヤフレーム４２の背面側から突出するように一体成形された棒状部分である。支持部４２ｂには後述するスピーカー１８の孔が挿入される。支持部４２ｂはスピーカー１８を位置決めするとともに支持する。なお、スピーカー１８は支持部４２ｂ以外の構造で支持してもよい。
【００３７】
リヤカバー４３は、リヤフレーム４２のコ字型に切り欠かれた部分に嵌め込まれて回路基板を覆う部材であり、リヤフレーム４２とともにデジタルテレビ受像機１０の背面を構成する。リヤカバー４３は樹脂や金属で成形できる。
【００３８】
またリヤカバー４３は、スピーカー１８、１８を挟持する半楕円形状の挟持部（第２挟持部）４３ａ、４３ａと、スピーカー１８、１８に対向する格子部４３ｂ、４３ｂとを有している。挟持部４３ａは、リヤカバー４３の下端付近に前方へ突出してリヤカバー４３に一体形成されている。挟持部４３ａは後述するスピーカー１８のガスケットの外周に接する（圧接する）形状とし、本実施形態ではリヤフレーム４２の挟持部４２ａと略対称な形状であり、半楕円形状となっている。なお、挟持部４３ａにガスケットが嵌まるような溝を設けてもよい。
【００３９】
格子部４３ｂは、スピーカー１８の振動板に対向して形成された格子状に貫通した部分であり、スピーカー１８の音をデジタルテレビ受像機１０の外部へ出すとともに、外部の物体からスピーカー１８を保護するものである。なお、リヤカバー４３とは別に、デジタルテレビ受像機１０を保持するスタンドを取り付ける部分及び上記と同様の格子部を有するスタンドホルダーを設けてもよい。
【００４０】
スピーカー１８は、音を出すための振動板１８ａと、振動板１８ａの縁を固定する筐体１８ｂと、筐体１８ｂの音声出力面とは異なる面（本実施形態では外周面）で、且つ、振動板１８ａの近傍に配置されたガスケット（遮音部材）１８ｃと、取り付け用の２つの孔１８ｄ、１８ｄを有する取り付け部とを有している。
【００４１】
振動板１８ａは、筐体１８ｂの開口部を覆うように、筐体１８ｂの縁部に貼着されている。筐体１８ｂは、本実施形態では横長形状である。筐体１８ｂは、例えば樹脂で一体成形された部材であり、略楕円形の開口部を形成する縁部を有している。筐体１８ｂは、振動板１８ａの背面の一部又は全部を覆っていてもよい。孔１８ｄを有する取り付け部は、筐体１８ｂに一体形成されており、孔１８ｄはリヤフレーム４２の支持部４２ｂに挿嵌される。
【００４２】
ガスケット１８ｃは、筐体１８ｂの縁部の外周面全周に渡って設けられている。なお、完全に外周面全周ではなく一部に隙間や継ぎ目があるような略全周であってもよい。また、隙間や継ぎ目をなくすように重畳してもよい。そして、リヤフレーム４２の挟持部４２ａとリヤカバー４３の挟持部４３ａとによってガスケット１８ｃが挟持される。このガスケット１８ｃにより、スピーカー１８の背面から出る音声がスピーカー１８の前面に回り込まないように遮蔽している。これにより、スピーカー１８の前面から出る正位相の音声とスピーカー１８の背面から出る逆位相の音声とが打ち消し合うことを防止できる。
【００４３】
ガスケット１８ｃは、例えば、ポリウレタン等の発泡部材又はゴム等の弾性部材であり、断面矩形の直線状（テープ状）で一面に接着剤が塗布された材料を用いることができる。なお、複数の材料を組み合わせたものであってもよい。組み立て時にはこれを筐体１８ｂの外周面に巻き付けて貼着する。この直線状のガスケット１８ｃを用いた場合、例えば、筐体１８ｂの短手方向を開始点として巻き付けることができる。このように、ガスケット１８ｃを直線状の材料とすることにより、従来のように打ち抜き加工により製造する必要がないため、廃棄する無駄な部分を削減できるとともに、ガスケット１８ｃの加工も容易となる。
【００４４】
また、ガスケット１８ｃを筐体１８ｂの外周面に設けることで、ガスケット１８ｃの幅を広く設計することもできる。ガスケット１８ｃの幅を広くすることで貼着による固定力が高まり、組み立て時のガスケット１８ｃの剥離や倒れ込みによる不良を防止できる。なお、例えば、筐体１８ｂの外周面に溝を設け、ガスケット１８ｃをその溝に嵌め込むことで接着剤を用いずに固定してもよい。また、ガスケット１８ｃに適当な数の凸部を設け、筐体１８ｂの外周面にその凸部が嵌合する凹部を設け、凸部と凹部を嵌め合わせることで接着剤を用いずに固定してもよい。
【００４５】
図６、図７に示すように、本実施形態においては、ガスケット１８ｃの前面と筐体１８ｂの前面とが面一であるが、ガスケット１８ｃの前面が振動板１８ａの前面よりも前方（デジタルテレビ受像機１０の下方）へ突出していてもよい。この場合、ガスケットの前面と挟持部の側面（上側面）とが接する（圧接する）ような構成としても遮音することができる。
【００４６】
また、本発明の一実施形態としては、上述したスピーカー１８と、ガスケットの外周に接し、スピーカー１８の背面を覆う、１以上のカバーと、を備えたスピーカー装置であってもよい。カバーとしては、通常、上述したフロントフレーム及びリヤフレームなど複数の部材を用いる。このようなスピーカー装置としては、スピーカー単体の装置であるスピーカーボックス等が考えられる。
【００４７】
また、本発明の一実施形態としては、上記のスピーカー装置と、表示部とを備えた表示装置であってもよい。このような表示装置としては、上述したデジタルテレビ受像機１０をはじめ、パーソナルコンピューター等の各種ディスプレイが考えられる。
【００４８】
上記の実施形態でスピーカー１８の筐体の正面形状は略楕円形であるが、その形状には特に限定はなく、例えば、長方形、その他の多角形、円形などであってもよい。
【００４９】
なお、上述した各形態は可能な範囲で組み合わせて実施することができる。
【符号の説明】
【００５０】
１０  デジタルテレビ受像機（表示装置）
１８  スピーカー
１８ａ  振動板
１８ｂ  筐体
１８ｃ  ガスケット（遮音部材）
１８ｄ  孔
１９  表示部
４２ａ  第１挟持部
４３ａ  第２挟持部
【図１】
0005978770.tif 000002
【図２】
0005978770.tif 000003
【図３】
0005978770.tif 000004
【図４】
0005978770.tif 000005
【図５】
0005978770.tif 000006
【図６】
0005978770.tif 000007
【図７】
0005978770.tif 000008